(57)【要約】【課題】端末装置との間で通信可能なファクシミリ装置において、ファクシミリの送信先を設定する際の操作性を向上できるようにする。【解決手段】ファクシミリ装置は、端末装置と通信するための通信部と、ファクシミリ通信部と、通信部およびファクシミリ通信部を制御する制御部を有し、制御部は、端末装置から通信履歴に対応するファクシミリ先情報を通信部を利用して取得するファクシミリ先情報取得処理（Ｓ２０）と、取得されたファクシミリ先情報を、ファクシミリ通信部がファクシミリの送信を行う際の送信先として設定する送信先設定処理（Ｓ２５）と、を行う。このようなファクシミリ装置によれば、通信履歴に対応して取得されたファクシミリ先情報をファクシミリの送信を行う際の送信先として設定するので、電話帳からファクシミリ先情報をユーザに選択させる構成と比較して、ファクシミリの送信先を設定する際の操作性を向上させることができる。【選択図】図３
2015177450.tif 000002
【特許請求の範囲】
【請求項１】
通信履歴と前記通信履歴に対応する連絡先とを記録した端末装置、との間で通信可能なファクシミリ装置であって、
前記端末装置と通信するための通信部と、
ファクシミリ通信部と、
前記通信部およびファクシミリ通信部を制御する制御部を有し、
前記制御部は、
前記端末装置から前記通信履歴に対応するファクシミリ先情報を前記通信部を利用して取得するファクシミリ先情報取得処理と、
前記取得されたファクシミリ先情報を、前記ファクシミリ通信部がファクシミリの送信を行う際の送信先として設定する送信先設定処理と、
を行うことを特徴とするファクシミリ装置。
【請求項２】
請求項１に記載のファクシミリ装置において、
前記制御部は、
前記ファクシミリ先情報取得処理では、前記通信履歴のうちの最新のものに対応するファクシミリ先情報を取得し、
前記送信先設定処理では、このファクシミリ先情報を送信先として設定すること
を特徴とするファクシミリ装置。
【請求項３】
請求項１または請求項２に記載のファクシミリ装置において、
前記制御部は、
複数のファクシミリ先情報のうちの何れか１つをユーザに選択させるためのファクシミリ先選択処理、を行い、
前記ファクシミリ先情報取得処理では、複数のファクシミリ先情報を取得し、
前記送信先設定処理では、前記ユーザに選択されたファクシミリ先情報を前記送信先として設定すること
を特徴とするファクシミリ装置。
【請求項４】
請求項１または請求項２に記載のファクシミリ装置において、
前記制御部は、
複数のファクシミリ先情報のうちの何れか１つを予め設定された優先度に基づいて設定する優先設定処理を行い、
前記ファクシミリ先情報取得処理では、複数のファクシミリ先情報を取得し、
前記送信先設定処理では、前記優先度に基づいて設定されたファクシミリ先情報を前記送信先として設定すること
を特徴とするファクシミリ装置。
【請求項５】
請求項１〜請求項４の何れか１項に記載のファクシミリ装置において、
表示部を備え、
前記制御部は、
前記ファクシミリ先情報取得機能にて前記ファクシミリ先情報を取得できたか否かを判定する取得判定処理と、
前記ファクシミリ先情報を取得できていないと判定された場合に、前記表示部にファクシミリ先情報を取得できなかった旨の表示を行う表示処理と、
を行うことを特徴とするファクシミリ装置。
【請求項６】
請求項１〜請求項４の何れか１項に記載のファクシミリ装置において、
前記制御部は、
前記ファクシミリ先情報取得処理にて前記ファクシミリ先情報を取得できたか否かを判定する取得判定処理と、
前記ファクシミリ先情報を取得できていないと判定された場合に、前記端末装置から前記通信履歴に対応する通話用電話番号を、前記通信部を利用して取得する通話用電話番号取得処理と、
を行い、
前記送信先設定処理では、前記ファクシミリ先情報取得処理にて取得されたファクシミリ先情報を、ファクシミリ通信部がファクシミリの送信を行う際の送信先として設定すること
を特徴とするファクシミリ装置。
【請求項７】
請求項１〜請求項６の何れか１項に記載のファクシミリ装置において、
前記ファクシミリ通信部を利用してファクシミリの送信を行うための宛先情報が記憶された宛先情報記憶部、を備え、
前記制御部は、
前記端末装置から前記通信履歴に対応する連絡先を特定するための特定情報を、前記通信部を利用して取得する特定情報取得処理と、
前記取得された特定情報に対応する宛先情報を前記宛先情報記憶部を利用して取得する宛先情報取得処理と、
を行い、
前記送信先設定処理では、前記ファクシミリ先情報が取得できなかった場合、前記取得された宛先情報をファクシミリ通信部を利用してファクシミリの送信を行う際の送信先として設定すること
を特徴とするファクシミリ装置。
【請求項８】
通信履歴と前記通信履歴に対応する連絡先とを記憶した端末装置と通信可能なファクシミリ装置であって、
前記端末装置と通信するための通信部と、
ファクシミリ通信部と、
前記通信部およびファクシミリ通信部を制御する制御部を有し、
前記制御部は、
前記端末装置から前記通信履歴に対応する連絡先を特定するための特定情報を、前記通信部を利用して取得する特定情報取得処理と、
前記取得された特定情報に対応する宛先情報を宛先情報記憶部から取得する宛先情報取得処理と、
前記取得された宛先情報をファクシミリ通信部を利用してファクシミリの送信を行う際の送信先として設定する送信先設定処理と、
を行うことを特徴とするファクシミリ装置。
【請求項９】
請求項８に記載のファクシミリ装置において、
前記制御部は、
前記特定情報取得処理にて前記ファクシミリ先情報を抽出できたか否かを判定する抽出判定処理と、
前記端末装置から前記通信履歴に対応する連絡先の一部として前記端末装置に記録されたファクシミリ先情報を、前記通信部を利用して取得するファクシミリ先情報取得処理と、
を行い、
前記送信先設定処理では、前記ファクシミリ先情報を抽出できなかった場合に、前記ファクシミリ先情報取得処理にて取得されたファクシミリ先情報を、ファクシミリの送信先として設定すること
を特徴とするファクシミリ装置。
【請求項１０】
請求項１〜請求項９の何れか１項に記載のファクシミリ装置において、
前記制御部は、
前記通信履歴として前記端末装置における通話履歴を利用すること
を特徴とするファクシミリ装置。
【請求項１１】
請求項１〜請求項１０の何れか１項に記載のファクシミリ装置において、
前記通信部は、近距離無線通信装置として構成されていること
を特徴とするファクシミリ装置。
【発明の詳細な説明】
【技術分野】
【０００１】
本発明は、端末装置との間で通信可能なファクシミリ装置に関する。
【背景技術】
【０００２】
上記のファクシミリ装置として、端末装置（携帯電話）が保持するアドレス帳をファクシミリ装置（複合機）側に移行させて、ファクシミリ装置にてユーザがこのアドレス帳からファクシミリの送信先を選択できるようにしたものが知られている（例えば、特許文献１参照）。
【先行技術文献】
【特許文献】
【０００３】
【特許文献１】特開２００６−３０３６３９号公報
【発明の概要】
【発明が解決しようとする課題】
【０００４】
しかしながら、上記ファクシミリ装置では、ファクシミリ装置においてユーザが移行されたアドレス帳のうちの多数の候補の中から送信先を選択して設定する必要があるため、その操作が煩雑であるという問題点があった。
【０００５】
そこで、このような問題点を鑑み、端末装置との間で通信可能なファクシミリ装置において、ファクシミリの送信先を設定する際の操作性を向上できるようにすることを本発明の目的とする。
【課題を解決するための手段】
【０００６】
本発明は、通信履歴と通信履歴に対応する連絡先とを記録した端末装置、との間で通信可能なファクシミリ装置であって、端末装置と通信するための通信部と、ファクシミリ通信部と、通信部およびファクシミリ通信部を制御する制御部を有し、制御部は、端末装置から通信履歴に対応するファクシミリ先情報を通信部を利用して取得するファクシミリ先情報取得処理と、取得されたファクシミリ先情報を、ファクシミリ通信部がファクシミリの送信を行う際の送信先として設定する送信先設定処理と、を行うことを特徴とする。
【０００７】
また、別態様における本発明のファクシミリ装置においては、制御部は、端末装置から通信履歴に対応する連絡先を特定するための特定情報を、通信部を利用して取得する特定情報取得処理と、取得された特定情報に対応する宛先情報を宛先情報記憶部を利用して取得する宛先情報取得処理と、取得された宛先情報をファクシミリ通信部を利用してファクシミリの送信を行う際の送信先として設定する送信先設定処理と、を行うことを特徴とする。
【０００８】
このようなファクシミリ装置によれば、通信履歴に対応して取得されたファクシミリ先情報をファクシミリの送信を行う際の送信先として設定するので、例えば、通信履歴からファクシミリ先情報を自動設定する構成や、通信履歴からファクシミリ先情報をユーザに選択させる構成を採用することができる。よって、電話帳からファクシミリ先情報をユーザに選択させる構成と比較して、ファクシミリの送信先を設定する際の操作性を向上させることができる。
【０００９】
なお、本発明は、コンピュータを、ファクシミリ装置による各処理を実施するためのプログラムとしてもよい。また、各請求項の記載は、可能な限りにおいて任意に組み合わせることができる。この際、発明の目的を達成できる範囲内において一部構成を除外してもよい。
【図面の簡単な説明】
【００１０】
【図１】本発明が適用されたＭＦＣ１および端末装置５の概略構成を示すブロック図である。
【図２】端末装置５からＭＦＣ１へ送られるアドレス情報の一例を示す説明図である。
【図３】ＭＦＣ１の制御部１０（ＣＰＵ１１）が実行する送信先設定処理を示すフローチャートである。
【図４】送信先設定処理のうちの送信先選択処理を示すフローチャートである。
【図５】端末装置５の処理部３０（ＣＰＵ３１）が実行するアドレス情報送信処理を示すフローチャートである。
【発明を実施するための形態】
【００１１】
以下に本発明にかかる実施の形態を図面と共に説明する。
［本実施形態の構成］
本発明が適用されたＭＦＣ（複合機：Multi-Function Center）１は、ファクシミリ装置としての機能を備え、ユーザが所持する端末装置５から通話等の履歴に対応するアドレス情報を取得し、このアドレス情報に対応するファクシミリ送信先を設定する機能を有する。詳細には、ＭＦＣ１は、図１（Ａ）に示すように、制御部１０と、入力部２１と、アドレス帳記録部２２と、表示部２３と、ＮＦＣ通信部２６と、ファクシミリ（ＦＡＸ）通信部２７と、を備えている。
【００１２】
入力部２１は、ＭＦＣ１に対する設定や処理の開始等をユーザが指示するためのインタフェースとして構成されている。この入力部２１は、例えば、ボタン式のスイッチや、タッチパネル等として構成されており、ユーザによる入力部２１の操作内容が制御部１０において認識される。
【００１３】
アドレス帳記録部２２は、ＭＦＣ１において登録されたアドレス情報（連絡先の情報）が記録されている。アドレス帳記録部２２に記録されたアドレス情報は、制御部１０により読み出し可能とされている。
【００１４】
表示部２３は、周知のディスプレイとして構成されており、制御部１０からの指令に従ってメッセージ等の文字を含む画像を表示させる。
ＮＦＣ通信部２６は、ＮＦＣ（Near field communication）による通信を行う通信インタフェースとして構成されている。ＮＦＣ通信部２６は、定期的にポーリングを行い、通信可能範囲内に端末装置などのＮＦＣ通信部が接近するとその端末装置などのＮＦＣ通信部との通信を試みるよう設定されている。
【００１５】
ＦＡＸ通信部２７は、電話回線網を介してファクシミリ通信を行うため、およびインターネット網を介してインターネットファクシミリ通信を行うためのインタフェースとして構成されている。ＦＡＸ通信部２７は、制御部１０による指令に応じて、電話回線網やインターネット網を介した通信を行う。
【００１６】
制御部１０は、ＣＰＵ１１と、ＲＯＭ、ＲＡＭ等のメモリ１２とを備えた周知のコンピュータとして構成されている。ＣＰＵ１１は、メモリ１２に格納されたプログラムに従って送信先設定処理等の各種処理を実施する。
【００１７】
ここで、ＭＦＣ１は、図１（Ｂ）に示す端末装置５と通信可能に設定されている。端末装置５は、例えば携帯電話、スマートフォン、タブレット端末（タブレットＰＣ）等の携帯可能な端末装置として構成されている。
【００１８】
端末装置５は、図１（Ｂ）に示すように、処理部３０と、通信履歴記録部４１と、アドレス帳記録部４２と、表示部４３と、ＮＦＣ通信部４６と、無線通信部４７と、を備えている。
【００１９】
通信履歴記録部４１は、電話の発着信履歴、およびメールの送受信履歴をアドレス帳に記録されたアドレス情報に対応付けて記録している。また、アドレス帳記録部４２は、複数のアドレス情報を記録しており、例えば、図２に示すように、アドレス情報毎に、氏名、電話番号１、電話番号２、ＦＡＸ番号１、ＦＡＸ番号２、インターネットＦＡＸアドレス等の情報が対応付けられている。
【００２０】
これらの通信履歴記録部４１およびアドレス帳記録部４２に記録された情報は、処理部３０により読み出し可能とされている。
表示部４３は、周知のディスプレイとして構成されており、処理部３０からの指令に従って画像を表示させる。
【００２１】
ＮＦＣ通信部４６は、ＭＦＣ１におけるＮＦＣ通信部２６と同様に、ＮＦＣによる通信を行う通信インタフェースとして構成されている。無線通信部４７は、携帯電話の基地局と通信を行うための周知の通信モジュールとして構成されている。
【００２２】
処理部３０は、ＣＰＵ３１と、ＲＯＭ、ＲＡＭ等のメモリ３２とを備えた周知のコンピュータとして構成されている。ＣＰＵ３１は、メモリ３２に格納されたプログラムに従って後述するアドレス情報送信処理等の各種処理を実施する。
【００２３】
［本実施形態の処理］
このように構成されたＭＦＣ１において、制御部１０のＣＰＵ１１は、図３に示す送信先設定処理を実施する。送信先設定処理は、ＭＦＣ１におけるファクシミリ送信先を端末装置５における電話の発着信履歴に基づいて設定する処理である。
【００２４】
送信先設定処理は、例えばＭＦＣ１の電源が投入されると開始される処理であり、その後、繰り返し実施される。送信先設定処理では、図３に示すように、まず、端末装置５がＮＦＣの通信を行うためＭＦＣ１にかざされたか否かを判定する（Ｓ１０）。すなわち、ＭＦＣ１のＮＦＣ通信部２６と端末装置５のＮＦＣ通信部４６とが通信可能な距離まで近接したか否かを判定する。
【００２５】
端末装置５がＮＦＣの通信を行うためにかざされていなければ（Ｓ１０：ＮＯ）、Ｓ１０の処理に戻る。また、端末装置５がＮＦＣでの通信を行うためにかざされていれば（Ｓ１０：ＹＥＳ）、携帯端末５との通信を確立し端末装置５に対して最後にアクションを行った相手のアドレス情報を要求する（Ｓ１５）。
【００２６】
続いて、端末装置５からアドレス情報を受信したか否かを判定する（Ｓ２０）。アドレス情報を受信していなければ（Ｓ２０：ＮＯ）、Ｓ２０の処理に戻る。また、アドレス情報を受信していれば（Ｓ２０：ＹＥＳ）、送信先選択処理を実施する（Ｓ２５）。
【００２７】
送信先選択処理は、予め設定された優先順位に従って宛先を選択し、この宛先をファクシミリ送信先として設定する処理である。送信先選択処理では、図４に示すように、まず、相手を特定する（Ｓ１１０）。
【００２８】
ここで、端末装置５から受信するアドレス情報は、１人分のアドレス情報である。このため、この処理では、アドレス情報に含まれる氏名等を参照することによって相手を特定する。
【００２９】
続いて、この相手について、ＭＦＣ１のアドレス帳にファクシミリ番号が存在するか否かを判定する（Ｓ１１５）。ＭＦＣ１のアドレス帳にファクシミリ番号が存在すれば（Ｓ１１５：ＹＥＳ）、ＭＦＣ１のアドレス帳からファクシミリ番号を抽出し（Ｓ１４０）、Ｓ２１０の処理に移行する。
【００３０】
また、ＭＦＣ１のアドレス帳にファクシミリ番号が存在していなければ（Ｓ１１５：ＮＯ）、この相手について、ＭＦＣ１のアドレス帳にインターネットＦＡＸ番号が存在するか否かを判定する（Ｓ１２０）。ＭＦＣ１のアドレス帳にインターネットＦＡＸ番号が存在していれば（Ｓ１２０：ＹＥＳ）、ＭＦＣ１のアドレス帳からインターネットＦＡＸ番号を抽出し（Ｓ１４５）、Ｓ２１０の処理に移行する。
【００３１】
また、ＭＦＣ１のアドレス帳にインターネットＦＡＸ番号が存在していなければ（Ｓ１２０：ＮＯ）、この相手について、受信したアドレス情報にファクシミリ番号が存在するか否かを判定する（Ｓ１２５）。受信したアドレス情報にファクシミリ番号が存在していれば（Ｓ１２５：ＹＥＳ）、受信したアドレス情報からファクシミリ番号を抽出し（Ｓ１５０）、後述するＳ２１０の処理に移行する。
【００３２】
また、受信したアドレス情報にファクシミリ番号が存在していなければ（Ｓ１２５：ＮＯ）、この相手について、受信したアドレス情報にインターネットＦＡＸ番号が存在するか否かを判定する（Ｓ１３０）。受信したアドレス情報にインターネットＦＡＸ番号が存在していれば（Ｓ１３０：ＹＥＳ）、受信したアドレス情報からインターネットＦＡＸ番号を抽出し（Ｓ１５５）、Ｓ２１０の処理に移行する。
【００３３】
また、受信したアドレス情報にインターネットＦＡＸ番号が存在していなければ（Ｓ１３０：ＮＯ）、この相手について、受信したアドレス情報に電話番号が存在するか否かを判定する（Ｓ１３５）。受信したアドレス情報に電話番号が存在していれば（Ｓ１３５：ＹＥＳ）、受信したアドレス情報から電話番号を抽出し（Ｓ１６０）、Ｓ２１０の処理に移行する。
【００３４】
また、受信したアドレス情報に電話番号が存在していなければ（Ｓ１３５：ＮＯ）、表示部２３にファクシミリ送信先が抽出できない旨のエラーメッセージを表示させ（Ｓ１７０）、送信先選択処理を終了する。
【００３５】
また、ファクシミリ送信先が抽出できた場合（Ｓ１４０〜Ｓ１６０の何れかの処理が実施された場合）には、抽出されたファクシミリ番号やインターネットＦＡＸ番号等の宛先が、複数抽出されたか否かを判定する（Ｓ２１０）。ここで、ＭＦＣ１のアドレス帳記録部２２や端末装置のアドレス帳記録部４２には、アドレス情報として、複数のファクシリミリ番号や電話番号を記録可能であるため（図２参照）、上記の処理では複数のファクシリミリ番号や電話番号が抽出される可能性がある。この処理では、このように複数のファクシリミリ番号や電話番号が抽出されたか否かを判定する。
【００３６】
宛先が１つだけ抽出されていれば（Ｓ２１０：ＮＯ）、Ｓ２２５の処理に移行する。また、宛先が複数抽出されていれば（Ｓ２１０：ＹＥＳ）、何れか１つの宛先を選択するよう表示部２３にメッセージを表示させ（Ｓ２１５）、ユーザが入力部２１を操作することによって何れか１つの宛先が選択されたか否かを判定する（Ｓ２２０）。
【００３７】
何れか１つの宛先が選択されていなければ（Ｓ２２０：ＮＯ）、Ｓ２１５の処理に戻る。また、何れか１つの宛先が選択されていれば（Ｓ２２０：ＹＥＳ）、選択された宛先（または宛先が１つだけ抽出された場合にはその宛先）をファクシミリ送信先としてセットし（Ｓ２２５）、ファクシミリ送信先をセットした旨を表示部２３に表示させる（Ｓ２３０）。
【００３８】
なお、ファクシミリ送信先をセットした旨には、セットしたファクシミリ番号、インターネットＦＡＸ番号等の宛先の情報を含んでいてもよい。このような送信先選択処理が終了すると、送信先設定処理（図３）を終了する。
【００３９】
次に、端末装置５においては、ＭＦＣ１による送信先設定処理に対応してアドレス情報送信処理を実施する。アドレス情報送信処理は、ＭＦＣ１から要求されたアドレス情報を選択してＭＦＣ１に返す処理である。
【００４０】
アドレス情報送信処理では、図５に示すように、まず、ＭＦＣ１からアドレス情報の要求を受けたか否かを判定する（Ｓ３１０）。アドレス情報の要求を受けていなければ（Ｓ３１０：ＮＯ）、Ｓ３１０の処理に戻る。
【００４１】
また、アドレス情報の要求を受けていれば（Ｓ３１０：ＹＥＳ）、通信履歴記録部４１を参照し、最後の発信履歴における時刻と最後の着信履歴における時刻とを比較する（Ｓ３１５）。最後の発信履歴が最後の着信履歴の後であれば（Ｓ３１５：ＹＥＳ）、最後に発信した相手のアドレス情報をアドレス帳記録部２２から抽出する（Ｓ３２０）。この処理では、最後に発信した相手の電話番号や氏名の情報を用いて、アドレス帳記録部２２から一致する１人分のアドレス情報を抽出する。
【００４２】
また、最後の発信履歴が最後の着信履歴の前であれば（Ｓ３１５：ＮＯ）、最後に着信した相手のアドレス情報をアドレス帳記録部２２から抽出する（Ｓ３２５）。この処理では、最後に着信した相手の電話番号や氏名の情報を用いて、アドレス帳記録部２２から一致する１人分のアドレス情報を抽出する。
【００４３】
そして、抽出したアドレス情報をＭＦＣ１に対して送信し（Ｓ３３０）、アドレス情報送信処理を終了する。
［本実施形態による効果］
以上のように詳述したファクシミリ装置（ＭＦＣ１）は、通信履歴と通信履歴に対応する連絡先とを記録した端末装置（５）、との間で通信可能な装置であって、端末装置（５）と通信するための通信部（ＮＦＣ通信部２６）と、ファクシミリ通信部（ＦＡＸ通信部２７）と、通信部（２６）およびファクシミリ通信部（２７）を制御する制御部（１０）を有し、制御部（１０）は、端末装置（５）から通信履歴に対応するファクシミリ先情報を通信部（２６）を利用して取得するファクシミリ先情報取得処理（Ｓ２０）と、取得されたファクシミリ先情報を、ファクシミリ通信部（２７）がファクシミリの送信を行う際の送信先として設定する送信先設定処理（Ｓ２２５）と、を行う。
【００４４】
このようなファクシミリ装置（１）によれば、通信履歴に対応して取得されたファクシミリ先情報をファクシミリの送信を行う際の送信先として設定するので、例えば、通信履歴からファクシミリ先情報を自動設定する構成や、通信履歴からファクシミリ先情報をユーザに選択させる構成を採用することができる。よって、電話帳からファクシミリ先情報をユーザに選択させる構成と比較して、ファクシミリの送信先を設定する際の操作性を向上させることができる。
【００４５】
また、上記ファクシミリ装置（１）において、制御部（１０）は、ファクシミリ先情報取得処理（Ｓ２０）では、通信履歴のうちの最新のものに対応するファクシミリ先情報を取得し、送信先設定処理（Ｓ２２５）では、このファクシミリ先情報を送信先として設定する。
【００４６】
このようなファクシミリ装置（１）によれば、ファクシミリを送信する旨の要望を通話やメール等で受けた直後に、この要望を受けた連絡先に対応するファクシミリ先情報をファクシミリ装置（１）において速やかに設定することができる。
【００４７】
また、上記ファクシミリ装置（１）において、制御部（１０）は、複数のファクシミリ先情報のうちの何れか１つをユーザに選択させるファクシミリ先選択処理（Ｓ２１０〜Ｓ２２０）、を行い、ファクシミリ先情報取得処理（Ｓ２０）では、複数のファクシミリ先情報を取得し、送信先設定処理（Ｓ２２５）では、ユーザに選択されたファクシミリ先情報を送信先として設定する。
【００４８】
このようなファクシミリ装置（１）によれば、複数のファクシミリ先情報が取得される場合（例えば、通信履歴から複数の連絡先に対応する複数のファクシミリ先情報を取得する場合や、１つの連絡先に複数のファクシミリ先情報が含まれたものを取得する場合）であっても、ユーザに最適なファクシミリ先情報を選択させることができる。
【００４９】
また、上記ファクシミリ装置（１）において、制御部（１０）は、複数のファクシミリ先情報のうちの何れか１つを予め設定された優先度に基づいて設定する優先設定処理（Ｓ１１０〜Ｓ１６０）を行い、ファクシミリ先情報取得処理（Ｓ２０）では、複数のファクシミリ先情報を取得し、送信先設定処理（Ｓ２２５）では、優先度に基づいて設定されたファクシミリ先情報を送信先として設定する。
【００５０】
このようなファクシミリ装置（１）によれば、複数のファクシミリ先情報が取得される場合であっても、優先度に基づいて最適なファクシミリ先情報を設定することができる。
また、上記ファクシミリ装置（１）においては、表示部（２３）を備え、制御部（１０）は、ファクシミリ先情報取得機能にてファクシミリ先情報を取得できたか否かを判定する取得判定処理（Ｓ１１５〜Ｓ１３５）と、ファクシミリ先情報を取得できていないと判定された場合に、表示部（２３）にファクシミリ先情報を取得できなかった旨の表示を行う表示処理（Ｓ１７０）と、を行う。
【００５１】
このようなファクシミリ装置（１）によれば、ファクシミリ先情報を取得できなかった場合にユーザに表示によってその旨を通知することができる。
また、上記ファクシミリ装置（１）において、制御部（１０）は、ファクシミリ先情報取得処理（Ｓ２０）にてファクシミリ先情報を取得できたか否かを判定する取得判定処理（Ｓ１１５〜Ｓ１３５）と、ファクシミリ先情報を取得できていないと判定された場合に、端末装置（５）から通信履歴に対応する通話用電話番号を、通信部（２６）を利用して取得する通話用電話番号取得処理（Ｓ１６０）と、を行い、送信先設定処理（Ｓ２２５）では、ファクシミリ先情報取得処理（Ｓ２０）にて取得されたファクシミリ先情報を、ファクシミリ通信部（２７）がファクシミリの送信を行う際の送信先として設定する。
【００５２】
このようなファクシミリ装置（１）によれば、通話用電話番号とファクシミリの送信先の電話番号とが一致する場合に、適切にファクシミリの送信先を設定することができる。
また、上記ファクシミリ装置（１）において、制御部（１０）は、端末装置（５）から通信履歴に対応する連絡先を特定するための特定情報を、通信部（２６）を利用して取得する特定情報取得処理（Ｓ２０）と、取得された特定情報に対応する宛先情報を宛先情報記憶部（２２）から取得する特定情報取得処理（Ｓ１４０、Ｓ１４５）と、取得された宛先情報をファクシミリ通信部（２７）を利用してファクシミリの送信を行う際の送信先として設定する送信先設定処理（Ｓ２２５）と、を行う。
【００５３】
このようなファクシミリ装置（１）によれば、通信履歴に対応して取得されたファクシミリ先情報をファクシミリの送信を行う際の送信先として設定するので、例えば、通信履歴からファクシミリ先情報を自動設定する構成や、通信履歴からファクシミリ先情報をユーザに選択させる構成を採用することができる。よって、電話帳からファクシミリ先情報をユーザに選択させる構成と比較して、ファクシミリの送信先を設定する際の操作性を向上させることができる。
【００５４】
また、上記ファクシミリ装置（１）において、制御部（１０）は、特定情報取得処理（Ｓ２０）にてファクシミリ先情報を抽出できたか否かを判定する抽出判定処理（Ｓ１１５、Ｓ１２０）と、端末装置（５）から通信履歴に対応する連絡先の一部として端末装置（５）に記録されたファクシミリ先情報を、通信部（２６）を利用して取得するファクシミリ先情報取得処理（Ｓ２０）と、を行い、送信先設定処理（Ｓ２２５）では、ファクシミリ先情報を抽出できなかった場合に、ファクシミリ先情報取得処理（Ｓ２０）にて取得されたファクシミリ先情報を、ファクシミリの送信先として設定する。
【００５５】
このようなファクシミリ装置（１）によれば、通信履歴に対応するファクシミリ先情報が宛先記憶部に記録されていない場合に、端末装置（５）からファクシミリ先情報を取得して設定することができる。
【００５６】
また、上記ファクシミリ装置（１）において、制御部（１０）は、通信履歴として端末装置（５）における通話履歴を利用する。
このようなファクシミリ装置（１）によれば、通話履歴を利用するので、通話中にその相手からファクシミリの送信を要求された場合に、通話中や通話後に、速やかにファクシミリを送信することができる。ここで、通話履歴には、電話が済んだ相手だけではなく電話中の相手を含んでいてもよい。
【００５７】
また、上記ファクシミリ装置（１）において、通信部（２６）は、近距離無線通信装置として構成されている。
このようなファクシミリ装置（１）によれば、通信部が近距離無線通信装置として構成されているので、通信部に端末装置（５）を近接させるだけでファクシミリ先情報等のやり取りを行うことができる。
【００５８】
［その他の実施形態］
本発明は、上記の実施形態によって何ら限定して解釈されない。また、上記の実施形態の構成の一部を、課題を解決できる限りにおいて省略した態様も本発明の実施形態である。また、上記の複数の実施形態を適宜組み合わせて構成される態様も本発明の実施形態である。また、特許請求の範囲に記載した文言のみによって特定される発明の本質を逸脱しない限度において考え得るあらゆる態様も本発明の実施形態である。また、上記の実施形態の説明で用いる符号を特許請求の範囲に対応する記載にも適宜使用しているが、各請求項に係る発明の理解を容易にする目的で使用しており、各請求項に係る発明の技術的範囲を限定する意図ではない。
【００５９】
例えば、上記実施形態においては、ＭＦＣ１のアドレス帳記録部２２に記録されたファクシミリ番号等を用いてファクシミリ送信先を優先して設定し、このように設定できない場合に端末装置（５）５から取得したファクシミリ送信先を設定したが、端末装置（５）５から取得したファクシミリ送信先を優先して設定してもよい。
【００６０】
すなわち、上記ファクシミリ装置（１）においては、ファクシミリ通信部（２７）を利用してファクシミリの送信を行うための宛先情報が記憶された宛先情報記憶部（２２）、を備え、制御部（１０）は、端末装置（５）から通信履歴に対応する連絡先を特定するための特定情報を、通信部（２６）を利用して取得する特定情報取得処理（Ｓ２０）と、取得された特定情報に対応する宛先情報を宛先情報記憶部（２２）を利用して取得する特定情報取得処理（Ｓ１４０、Ｓ１４５）と、を行い、送信先設定処理（Ｓ２２５）では、ファクシミリ先情報が取得できかった場合、取得された宛先情報をファクシミリ通信部（２７）を利用してファクシミリの送信を行う際の送信先として設定するようにしてもよい。
【００６１】
このようなファクシミリ装置（１）によれば、ファクシミリ先情報が取得できなかった場合であっても宛先情報記憶部（２２）から取得した宛先情報を送信先として設定することができる。
【００６２】
また、上記ＭＦＣ１においては、通話履歴を用いてファクシミリ送信先となる相手を特定したが、通話履歴に限らず、通信履歴を用いて相手を特定してもよい。例えば、通信履歴記録部４１にメールの送受信履歴、メールの送受信履歴等に対応するファクシミリ番号をファクシミリ送信先として選択してもよい。このとき、最後の通信相手を含む複数の相手に関するファクシミリ送信先を取得し、複数の送信先のうちの１つをユーザに選択させてもよい。
【００６３】
このようにしても上記実施形態と同様の効果を享受することができる。
【符号の説明】
【００６４】
１…ＭＦＣ、５…端末装置、１０…制御部、１１…ＣＰＵ、１２…メモリ、２１…入力部、２２…アドレス帳記録部、２３…表示部、２６…ＮＦＣ通信部、２７…ＦＡＸ通信部、３０…処理部、３１…ＣＰＵ、３２…メモリ、４１…通信履歴記録部、４２…アドレス帳記録部、４３…表示部、４６…ＮＦＣ通信部、４７…無線通信部。
【図１】
2015177450.tif 000003
【図２】
2015177450.tif 000004
【図３】
2015177450.tif 000005
【図４】
2015177450.tif 000006
【図５】
2015177450.tif 000007